【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】  無線トランシーバ(12,14,16)、複数のオブジェクト(52)及び複数のリンク(41,18A,18B,18C,42,43A,43B,43C)を含む無線ユニット装置(10)を備え、少なくとも１つのリンクは上記オブジェクト間にメッセージを転送するためのものである通信システムにおいて、上記無線ユニット装置は、更に、オブジェクトから登録要求を受け取り、その要求を発しているオブジェクトを登録し、そして登録されたオブジェクトを記述する情報を維持するためのメッセージルータ(40)を含むことを特徴とする通信システム。
【請求項２】  メッセージは、メッセージの行先の論理的アドレスを含み、上記ルータは、メッセージの受信に応答して、論理的アドレスを少なくとも１つの物理的アドレスに変換すると共に、リンクを経て少なくとも１つの物理的アドレスにメッセージを向ける請求項１に記載の通信システム。
【請求項３】  メッセージは、メッセージの行先の機能的記述を含み、上記ルータは、メッセージの受信に応答して、機能的記述を少なくとも１つの物理的アドレスに変換すると共に、リンクを経て少なくとも１つの物理的アドレスにメッセージを向ける請求項１に記載の通信システム。
【請求項４】  上記ルータは、接続を確立する要求に応答し、上記複数のリンクの１つを使用して、上記複数のオブジェクトの２つの間に直接的通信パイプを設定する請求項１ないし３のいずれかに記載の通信システム。
【請求項５】  上記複数のリンクの少なくとも１つを経て上記無線ユニット装置に接続された少なくとも１つの外部アプリケーション(52)より成る少なくとも１つの外部装置(28,60,62,64,68)を更に備え、上記メッセージルータは、上記少なくとも１つの外部装置及び上記少なくとも１つの外部アプリケーションから登録要求を受け取るように動作できる請求項１ないし４のいずれかに記載の通信システム。
【請求項６】  上記メッセージルータは、更に、登録要求により指定された好ましいリンクの認識、又は登録要求が受信されたところのリンクの認識の少なくとも一方を記録するように動作できる請求項５に記載の通信システム。
【請求項７】  上記登録要求の少なくとも１つの形式は、登録するアプリケーションに対するリンクの優先順を含む請求項１ないし６のいずれかに記載の通信システム。
【請求項８】  上記外部装置は、メッセージサブルータ(40')を含む請求項５ないし７のいずれかに記載の通信システム。
【請求項９】  上記メッセージの１つは、上記無線ユニット装置又は上記外部装置のリソースへのアクセスを得る希望を指示するためのリソース要求メッセージであり、そして別のメッセージは、リソースに対して責任を負うサーバ(5)から上記リソース要求メッセージの発信点へ送信される応答メッセージである請求項５ないし８のいずれかに記載の通信システム。
【請求項１０】  上記メッセージの１つは、上記リソースに関連した事象又は状態の１つを指示するために、上記リソースに対して責任を負う上記サーバから送信される指示メッセージである請求項９に記載の通信システム。
【請求項１１】  上記メッセージの１つは、上記リソース要求メッセージにより指令された動作を完了するための付加的な情報を要求するために、上記リソースに対して責任を負う上記サーバから送信される協議要求メッセージである請求項９又は１０に記載の通信システム。
【請求項１２】  上記メッセージの１つは、上記協議要求メッセージの受信に応答して上記リソース要求メッセージの発信点から送信される通知応答メッセージである請求項１１に記載の通信システム。
【請求項１３】  上記リソース要求メッセージは、アプリケーション又はサーバの１つによって送信される請求項９に記載の通信システム。
【請求項１４】  上記メッセージの１つは、上記リソースに関連した事象又は状態の１つを指示するために、上記リソースに対して責任を負う上記サーバから送信される指示メッセージであり、上記メッセージの別の１つは、上記リソース要求メッセージにより指令された動作を完了するための付加的な情報を要求するために、上記リソースに対して責任を負う上記サーバから送信される協議要求メッセージであり、そして上記指示メッセージ及び上記協議要求メッセージ各々は、上記リソース要求メッセージのアドレスフィールドから得られる行先アドレスフィールドを含む請求項９に記載の通信システム。
【請求項１５】  上記指示メッセージ及び上記協議要求メッセージ各々は、上記リソース要求メッセージの独特のトランザクション識別フィールドから得られる独特のトランザクション識別フィールドを更に含む請求項１４に記載の通信システム。
【請求項１６】  上記メッセージの１つは、上記リソースに関連した事象の発生を指示するために、上記リソースに対して責任を負う上記サーバから送信される指示メッセージであり、この指示メッセージは、事象の発生が通知されるべき要求を以前に登録した少なくとも１つの行先へと送信される請求項９に記載の通信システム。
【請求項１７】  更に、上記無線ユニットは、複数のアプリケーション(52)と、無線ユニットのリソースに各々関連した複数のサーバ(50)と、上記アプリケーションを上記サーバへ選択的に接続するために上記複数のアプリケーションと上記複数のサーバとの間に介在された接続層(41)とを含み、上記通信システムは、更に、上記接続層を経て上記無線ユニットに接続された少なくとも１つのアクセサリ装置(28)を備え、該少なくとも１つのアクセサリ装置は、そのアクセサリ装置のリソース(48)に関連した少なくとも１つのアプリケーション(52)及び少なくとも１つのサーバ(50)を備え、上記無線ユニットの少なくとも１つのアプリケーション又はサーバは、上記無線ユニットの上記少なくとも１つのアプリケーション又はサーバから送信されたリソース要求メッセージに応答して上記接続層を経て上記アクセサリー装置の上記少なくとも１つのサーバ又は上記無線ユニットのサーバに接続することができ、上記リソース要求メッセージは、上記接続層を経てルート指定される請求項１に記載の通信システム。
【請求項１８】  上記複数のサーバの少なくとも１つは、上記無線ユニットへのユーザインターフェイスを与える少なくとも１つのパネルに接続されたパネルサーバ(60)である請求項１７に記載の通信システム。
【請求項１９】  上記システムは、事象の指示を受け取るように登録された上記アプリケーションの所定のものへ事象の指示を与える事象サーバ(56)を含む請求項１７又は１８に記載の通信システム。
【請求項２０】  上記複数のサーバの少なくとも１つは、複数の異なる無線通信システムの個々のシステムに両方向接続できる能力を上記無線ユニットに与えるためのシステムモードコントローラ(50A)である請求項１７ないし１９のいずれかに記載の通信システム。
【請求項２１】  別のメッセージは、上記リソースに対して責任を負う上記サーバから、上記接続層を経て、上記リソース要求メッセージを発信したアプリケーション又はサーバへと送信される応答メッセージである請求項１７ないし２０のいずれかに記載の通信システム。
【請求項２２】  別のメッセージは、上記リソースに関連した事象又は状態の一方を指示するために、上記リソースに対して責任を負う上記サーバから送信される指示メッセージである請求項１７ないし２１のいずれかに記載の通信システム。
【請求項２３】  別のメッセージは、上記リソース要求メッセージにより指令された動作を完了するための付加的な情報を要求するために、上記リソースに対して責任を負う上記サーバから送信される協議要求メッセージである請求項１７ないし２２のいずれかに記載の通信システム。
【請求項２４】  別のメッセージは、上記協議要求メッセージの受信に応答して上記リソース要求メッセージの発信点から送信される通知応答メッセージである請求項２３に記載の通信システム。
【請求項２５】  更に、ワイヤレスインターフェイス(18C,43A)又はワイヤードインターフェイス(18A,43C,18B,43B)の少なくとも一方を経て上記無線ユニット装置に両方向接続されるアクセサリ装置(28)を備え、上記無線ユニット装置は、複数のリソース(48)を含み、上記アクセサリ装置は、リソース要求メッセージ又はリソース要求応答メッセージの少なくとも一方を上記無線ユニット装置に送信すると共に、上記無線ユニット装置の上記メッセージルータ(40)を経て特定の無線ユニット装置のリソース(48)に関連したリソースサーバ(50)へ送信するために、メッセージルータ層(41)を経て上記ワイヤレス又はワイヤードインターフェイスに接続された少なくとも１つのアプリケーション(52)を含み、これにより、上記アクセサリ装置の少なくとも１つのアプリケーションは、上記複数の無線ユニット装置リソースの少なくとも１つと共に動作できるようにされた請求項１ないし２４のいずれかに記載の通信システム。
【請求項２６】  少なくとも１つの形式のワイヤレス通信ネットワークと共に動作できる無線ユニットを含む形式の通信システムを動作する方法であって、上記無線ユニットは複数のアプリケーション及び複数の通信媒体より成り、上記方法は、
上記無線ユニットにマスタールータ層及び接続層を設け、これらの層は、上記複数のアプリケーションと上記通信媒体との間に介在され、
スレーブルータ層を経て上記無線ユニットに外部アプリケーションを接続し、
上記複数のアプリケーションの１つからメッセージを受け取り、そして
その受け取ったメッセージを、上記マスタールータ層により、上記接続層、少なくとも１つの上記通信媒体及び上記スレーブルータ層を経て上記外部アプリケーションへルート指定する、
という段階を含むことを特徴とする方法。
【請求項２７】  上記マスタールータ層は、登録要求メッセージの受信に応答して、登録を要求するエンティティにアドレスを動的に指定する請求項２６に記載の方法。
【請求項２８】  ワイヤレスインターフェース（１８Ｃ、４３Ａ）又はワイヤードインターフェイス（１８Ａ、４３Ｃ、１８Ｂ、４３Ｂ）の少なくとも一方を経て複数のリソース（４８）を備える無線ユニット装置（１０）に両方向接続されるアクセサリ装置（２８）において、該アクセサリ装置のメッセージルータ（４０）層を経て上記ワイヤレスまたはワイヤードインターフェイスに接続され登録要求メッセージ、およびリソース要求メッセージおよびリソース要求応答メッセージの少なくとも一方を、上記無線ユニット装置（１０）へ送信し、且つ上記無線ユニット装置のメッセージルータ（４０）を経て特定の無線ユニット装置のリソース（４８）に関連したリソースサーバ（５０）へ送信するために、少なくとも１つのアプリケーション（５２）を備えており、該アクセサリ装置（２８）の少なくとも１つのアプリケーション（５０）は、上記無線ユニット装置（１０）の複数のリソース（４８）の１つと共に動作できるようにされたことを特徴とするアクセサリ装置。
【請求項２９】  該アクセサリ装置（２８）のリソース（４８）と関連した少なくとも１つのサーバ（５０）を備えており、上記無線ユニット装置（１０）のサーバ（４８）又はアプリケーション（５２）の少なくとも一方は、上記無線ユニット装置のサーバ又は上記少なくとも１つのアプリケーションから送られるリソース要求メッセージに応答し、接続層（４１）を経て上記無線ユニット装置のサーバ又は該アクセサリ装置の上記少なくとも１つのサーバ（４８）へ接続され得て、上記リソース要求メッセージは、上記接続層（４１）を経てルート指定される請求項２８に記載のアクセサリ装置。
【請求項３０】  上記無線ユニット装置（１０）の上記メッセージルータ（４０）は、該アクセサリ装置（２８）から、および少なくとも１つの外部オブジェクトから登録要求を受け取り且つ上記登録要求により指定された好ましいリンクの認識又は登録要求が受信されたところのリンクの認識の少なくとも一方を記録するように動作できる請求項２８または２９に記載のアクセサリ装置。
【請求項３１】  登録要求の少なくとも１つの形式は、登録オブジェクトに対するリンクの優先順を含む請求項３０に記載のアクセサリ装置。
【請求項３２】  メッセージサブルータおよび少なくとも１つの外部オブジェクトを備えており、該アクセサリ装置（２８）は、複数のリンクの少なくとも１つに両方向接続され、上記無線ユニット装置（１０）の上記メッセージルータ（４０）は、上記内部オブジェクト、上記少なくとも１つの外部装置および少なくとも１つの外部オブジェクトから登録要求を受け取る請求項２８または２９に記載のアクセサリ装置。
【請求項３３】  少なくとも１つの登録要求は、登録する装置又はオブジェクトのリンクの優先順より成る請求項３２に記載のアクセサリ装置。